【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
第１段および第２段を備える冷凍機、
低温凝縮気体を凝縮させるため、冷凍機の第２段に熱的に接触している第２段のクライオパネル、
第２段のクライオパネルを囲むとともに、冷凍機の第１段に熱的に接触している放射シールド、および
前記放射シールドの開口を横切っており、より高い凝縮温度の気体のためのクライオポンプ表面として機能する前部クライオパネル
を備えるクライオポンプであって、
少なくとも２０％の水素捕捉確率を有しており、
前記第２段のクライオパネルが、吸着剤を担持した複数のバッフルからなるアレイを有していて、少なくとも吸着剤の約８０％が、放射シールドまたは放射シールドの開口に対して直接露出されており、
少なくとも吸着剤の中には、放射シールドの開口に向かって直接露出されているものがあるクライオポンプ。
【請求項２】
請求項１において、第２段のクライオパネルの表面積の少なくとも約９０％が、吸着剤で覆われているクライオポンプ。
【請求項３】
請求項１において、第２段のクライオパネルが、放射シールドへと向かう縁部を有する平坦なバッフルを備えているクライオポンプ。
【請求項４】
請求項３において、第２段のクライオパネルが、外向きに傾けられ放射シールドの開口へと向けられた複数の前部バッフルをさらに備えているクライオポンプ。
【請求項５】
請求項４において、複数の前部バッフルの縁が、放射シールドの開口へと向かって延びる包絡面を形成しており、該包絡面が傾斜した外周面を形成しているクライオポンプ。
【請求項６】
請求項５において、前部バッフルが、扇形に広がる円板であるクライオポンプ。
【請求項７】
請求項５において、前部バッフルが、同心の複数の円錐台形バッフルを有しているクライオポンプ。
【請求項８】
請求項５において、外向きかつ放射シールドの開口から離れるように傾けられた複数の後部バッフルをさらに有しており、該複数の後部バッフルの縁が、放射シールドの開口から離れるように延びる包絡面を形成しており、該包絡面が傾斜した外周面を形成しているクライオポンプ。
【請求項９】
請求項１において、放射シールドが、側面および該側面の端部を閉じる基部を有しており、側面と基部との接合部が、気体を第２段のクライオパネルに向かって集中させるべく湾曲しているクライオポンプ。
【請求項１０】
請求項９において、第２段のクライオパネルが、外向きかつ放射シールドの開口から離れるように傾けられた複数の後部バッフルをさらに備えているクライオポンプ。
【請求項１１】
請求項１０において、複数の後部バッフルの縁が、自身の外周縁に沿って傾斜した包絡面を形成しているクライオポンプ。
【請求項１２】
請求項１において、前部クライオパネルが、第２段のクライオパネルの投影よりも大きいが、放射シールドの開口の５０％未満である面積を覆っているクライオポンプ。
【請求項１３】
請求項１において、第２段のクライオパネルの直径が、放射シールドの開口の直径の６０％未満であるクライオポンプ。
【請求項１４】
請求項１において、第２段のクライオパネルが、円板からなるアレイを有している場合に、該円板が扇形に広がり、おおむね球形の包絡面を形成するクライオポンプ。
【請求項１５】
請求項１４において、球形の包絡面が、平行な複数の円板からなる平行円板群、該平行円板群の一端においてドームを形成する複数の円板からなる扇形円板群、および該平行円板群の他端において逆さのドームを形成する複数の円板からなる扇形円板群から形成されているクライオポンプ。
【請求項１６】
請求項１において、少なくとも吸着剤の９０％が、放射シールドまたは放射シールドの開口に対して直接露出されているクライオポンプ。
【請求項１７】
請求項１において、実質的にすべての吸着剤が、放射シールドまたは放射シールドの開口に対して直接露出されているクライオポンプ。
【請求項１８】
請求項１において、少なくとも２５％の水素捕捉確率を有しているクライオポンプ。
【請求項１９】
請求項１において、少なくとも３０％の水素捕捉確率を有しているクライオポンプ。
【請求項２０】
第１段および第２段を備える冷凍機、
低温凝縮気体を凝縮させるため、冷凍機の第２段に熱的に接触している第２段のクライオパネル、
第２段のクライオパネルを囲むとともに、冷凍機の第１段に熱的に接触している放射シールド、および
放射シールドの開口を横切って、放射シールドの開口の５０％未満の面積を覆っており、より高い凝縮温度の気体のためのクライオポンプ表面として機能する前部クライオパネル
を備えるクライオポンプであって、
前記第２段のクライオパネルが、吸着剤を担持した複数のバッフルからなるアレイを有していて、少なくとも吸着剤の８０％が、放射シールドまたは放射シールドの開口に対して直接露出されており、
少なくとも吸着剤の中には、放射シールドの開口に向かって直接露出されているものがあるクライオポンプ。
【請求項２１】
請求項２０において、少なくとも吸着剤の９０％が、放射シールドまたは放射シールドの開口に対して直接露出されているクライオポンプ。
【請求項２２】
請求項２０において、実質的にすべての吸着剤が、放射シールドまたは放射シールドの開口に対して直接露出されているクライオポンプ。
【請求項２３】
請求項２０において、少なくとも２５％の水素捕捉確率を有しているクライオポンプ。
【請求項２４】
請求項２０において、少なくとも３０％の水素捕捉確率を有しているクライオポンプ。
【請求項２５】
第１段および第２段を備える冷凍機、
低温凝縮気体を凝縮させるため、冷凍機の第２段に熱的に接触している第２段のクライオパネル、
第２段のクライオパネルを囲むとともに、冷凍機の第１段に熱的に接触している放射シールド、および
放射シールドの前部開口を横切っており、より高い凝縮温度の気体のためのクライオポンプ表面として機能する前部クライオパネル
を備えるクライオポンプであって、
前記第２段のクライオパネルが、吸着剤を担持した複数のバッフルからなるアレイを有していて、前記前部開口へと向かって延びるバッフルを含んでおり、少なくとも吸着剤の約８０％が、放射シールドまたは放射シールドの開口に対して直接露出されており、
少なくとも吸着剤の中には、放射シールドの開口に向かって直接露出されているものがあるクライオポンプ。
【請求項２６】
請求項２５において、少なくとも吸着剤の９０％が、放射シールドまたは放射シールドの開口に対して直接露出されているクライオポンプ。
【請求項２７】
請求項２５において、実質的にすべての吸着剤が、放射シールドまたは放射シールドの開口に対して直接露出されているクライオポンプ。
【請求項２８】
請求項２５において、少なくとも２５％の水素捕捉確率を有しているクライオポンプ。
【請求項２９】
請求項２５において、少なくとも３０％の水素捕捉確率を有しているクライオポンプ。
【請求項３０】
第１段および第２段を備える冷凍機、
低温凝縮気体を凝縮させるため、冷凍機の第２段に熱的に接触している第２段のクライオパネル、
第２段のクライオパネルを囲むとともに、冷凍機の第１段に熱的に接触しており、側面および該側面の端部を閉じる基部を有しており、側面と基部との接合部が、気体を第２段のクライオパネルに向かって集中させるべく湾曲している放射シールド、および
放射シールドの開口を横切って、第２段のクライオパネルの投影部よりも大きく、放射シールドの開口の５０％未満である面積を覆っており、より高い凝縮温度の気体のためのクライオポンプ表面として機能する前部クライオパネル
を有するクライオポンプであって、
前記第２段のクライオパネルが、
放射シールドに向けた縁を有する複数の平坦なバッフルからなるアレイ、および
外向きに傾けられて放射シールドの開口へと向けられており、縁が、放射シールドの開口へと向かって延びる包絡面を形成するとともに、該包絡面が傾斜した外周面を形成している複数の前部バッフル
を有しており、
第２段のクライオパネルのこれらのバッフルが、吸着剤を担持しており、少なくとも吸着剤の約８０％が、放射シールドまたは放射シールドの開口に対して直接露出されており、少なくとも吸着剤の中には、放射シールドの開口に向かって直接露出されているものがあるクライオポンプ。
【請求項３１】
複数の円板からなるアレイを有しており、該円板が扇形に広がり、おおむね球形の包絡面を形成するクライオパネル・アレイ。
【請求項３２】
請求項３１において、
平行な円板からなる平行円板群、
前記平行円板群の一端においてドームを形成する複数の円板からなる扇形円板群、および
前記平行円板群の他端において逆さのドームを形成する複数の円板からなる扇形円板群
を有しているクライオパネル・アレイ。
【請求項３３】
請求項３２において、前記円板が、極低温冷凍機のヒートステーションへと取り付けられるように設定された一対のブラケットに取り付けられているクライオパネル・アレイ。
【請求項３４】
第１段および第２段を備える冷凍機、
低温凝縮気体を凝縮させるため、冷凍機の第２段に熱的に接触しており、複数の円板がおおむね球形の包絡面を形成するように扇形に配置されたアレイを備える第２段のクライオパネル、
第２段のクライオパネルを囲むとともに、第１段のヒートシンクに対して熱的に接触している放射シールド、および
放射シールドの開口を横切っており、より高い凝縮温度の気体のためのクライオポンプ表面として機能する前部クライオパネル
を備えるクライオポンプ。
【請求項３５】
請求項３４において、第２段のクライオパネルが
平行な円板からなる平行円板群、
前記平行円板群の一端においてドームを形成する複数の円板からなる扇形円板群、および
前記平行円板群の他端において逆さのドームを形成する複数の円板からなる扇形円板群
を有しているクライオポンプ。
【請求項３６】
請求項２５において、少なくとも吸着剤の約８０％が、放射シールドまたは放射シールドの開口に対して直接露出されており、吸着剤の大部分が、放射シールドの側面または放射シールドの開口に対して直接露出されているクライオポンプ。
【請求項３７】
請求項２５において、前部開口へと向かって延びるバッフルは、外向きに傾斜するバッフルを含むクライオポンプ。
【請求項３８】
請求項２５において、前部開口へと向かって延びるバッフルは、同心の複数の円錐台形バッフルであるクライオポンプ。
【請求項３９】
請求項２５において、前部開口へと向かって延びるバッフルは、平坦であるクライオポンプ。
【請求項４０】
請求項２５において、第２段のクライオパネルが、さらに平行な円板からなる積み重ねを備えるクライオポンプ。
【請求項４１】
請求項４０において、第２段のクライオパネルが、前部開口へと向かって延びるバッフルの反対側にある平行な円板からなる積み重ねの一端から、前部開口から離れるように延びるバッフルをさらに備えるクライオポンプ。
【請求項４２】
請求項３０において、外向きかつ放射シールドの開口から離れるように傾けられ、自身の外周縁に沿って傾斜した包絡面を定めている複数の後部バッフルをさらに備えるクライオポンプ。